Podtech/llm-jp-corpus-v4-ja_patent huggingface dataset:
(57)【要約】      （修正有）【課題】パペットの内部に手を入れて、その手の連続的な動きや力等の変化に応じて音の高さが変わる楽器を提供する。【解決手段】口の開度その他の演奏者の連続的な動きや物理量の変化による操作に応じて、楽器から発される音の高さが段階的に変化するようにしたものである。【選択図】図１
0003118541.tif 000002
【実用新案登録請求の範囲】
【請求項１】
内部に人の手が入る人形の形状をした電子楽器において、該人形または該人形周辺の物理量の連続的な変化を検出し得る電気的検出手段と、該電気的検出手段の出力信号の変化に応じて音高を決める制御回路を有し、該制御回路によって決定される音高が、音階に従って段階的に変化することを特徴とする人形の形状をした電子楽器。
【請求項２】
楽器から発される音の高さの表示部を有することを特徴とする請求項１の電子楽器。
【考案の詳細な説明】
【技術分野】
【０００１】  本考案は内部に人の手が入る人形の形状をした電子楽器に関する。
【背景技術】
【０００２】  本出願人は実願２００５−４５８２において、パペットの内部に手を入れて、その手の連続的な動きや力等の物理量変化に応じて音の高さが変わる楽器を提案している。【０００３】  これはパペットの口の開度やその他の部分の動きに応じて音の周波数が変わることで、あたかもパペットが歌っているように感じさせて楽しさを大きくすることを狙った考案である。
【考案の開示】
【考案が解決しようとする課題】
【０００４】  この場合に例えば口の開度は連続的に変化するものであるが、この口の開度に連続的に比例させて音の高さを変えるとすると、音楽の演奏が非常に繊細で難しいものになる。【０００５】  これは通常演奏される音楽が、音階に従っているために、楽器から出る音がこの音階から外れると非常に聞き苦しいものになる。聞いて心地よい音楽にするためには正確に音階に従った音を出す必要があるために、連続的に周波数の変わる楽器の場合は正確な音の高さに瞬時に合わせ込む必要があり、このため非常に繊細な操作が要求されることによるものである。
【課題を解決するための手段】
【０００６】  本考案では、口の開度その他の演奏者の連続的な動きや物理量の変化による操作に応じて楽器から発される音の高さが、段階的に変化するようにしたものである。【０００７】  このことにより、パペットの動きや加える力等に応じて楽器から出る音が自動的に音階に従うようにすることが出来るようになる。【０００８】  例えば、図１に示すように、１オクターブ分変化する物理量を７等分してＣ（ハ）〜Ｂ（ロ）まで、ハ長調ならド〜シまでに対応させる。【０００９】  或いは図２に示すように、１オクターブ分変化する物理量を１２等分して半音毎にＣからＢまでに対応させる。【００１０】  図１の例ではハ長調、イ短調を基準にしているが、もちろん他の調であっても良い。【００１１】  また、ここで図示しているのは１オクターブ分に限っているが、実際には数オクターブに渡って変換を行うのが普通である。【００１２】  図１，２の横軸は物理量としているが、具体的にはパペットの口の開度や手足の動きや演奏者の加える力の強さ等のことである。【００１３】  楽器から発する音の音高を視認できる表示部を設けることによって、更に演奏を容易にすることが出来る。
【考案の効果】
【００１４】  上述したように本考案の電子楽器は、演奏者の連続的な動きや物理量の変化を音階に従った音程の音に変換することによって、この楽器を初めて手にする人にも直感的に容易に演奏をすることが出来るようにするものである。【００１５】  更に楽器から発する音の音高を視認できる表示部を設けることによって、音の出だしから正確な音高の演奏をすることが出来る
【考案を実施するために最良の形態】
【００１６】  パペットの口の開度を検出するセンサを配置し、このセンサの出力に対応した音階に従った音程の変化が生じる電子楽器をパペットの内部に組み込む。
【００１７】  音高の表示部を演奏者からの視認性の良い位置に配置する。
【実施例】
【００１８】  図３に、本電子楽器を左手で操作している一例の断面図を示す。１はパペット。この例は口が開閉できるタイプで動作検出部２として口の開度のセンサを備えている。このセンサは例えばパペットの上顎と下顎の回転軸に可変抵抗を配置する。【００１９】  ３は力検出部。この例では、パペットの右手の中に圧力を検出するセンサを備えている。この他にどのような物理量の変化を利用しても良い【００２０】  ４は制御回路部。２からの開度情報から図１〜３に示す変換方式に従った音階に変換して音声信号を発生する。５は増幅部。６は電源部。この例では乾電池を想定している。７は電気信号を音に変換するスピーカー。８は音高の表示部である。【００２１】  音高は、例えばピアノ鍵盤の中央のド、つまり２６３Ｈｚ付近であれば４Ｃ、というように数字とＡ〜Ｆまでのアルファベット、それに＃、♭の組み合わせで表示できる。【００２２】  図４に電圧に変換後の物理量を音高に相当する電圧に変換する回路の一例を示す。
連続的に変化する入力側の電圧を段階的な電圧に変換することが出来る。
抵抗値を変えることで音階を決定することが出来る。【００２３】  演奏者は左手で口の開閉操作を行い、右手はパペットの右手を握る。右手の握力で音の大きさを制御し、左手で操作する口の開度を通して音の高さを制御する。音の高さと大きさの制御は左右の手で逆であっても良い。
【図面の簡単な説明】
【００２４】
【００２５】
【図１】  本考案の物理量〜音高変換図の一例である。
【図２】  本考案の物理量〜音高変換図の一例である。
【図３】  本考案の実施形態を示すパペット電子楽器の断面図の一例である。
【図４】  本考案の物理量〜音高変換回路図の一例である。
【符号の説明】
【００２４】  １  パペット
２  動作検出部
３  力検出部
４  制御部
５  増幅部
６  電源部（乾電池）
７  スピーカー
８  音高表示部
【図１】
0003118541.tif 000003
【図２】
0003118541.tif 000004
【図３】
0003118541.tif 000005
【図４】
0003118541.tif 000006
(57)【要約】      （修正有）【課題】錠の掛け忘れを防止でき、不意の地震で扉が開くことがなく操作が容易で構造が簡単低コストである食器用戸棚の提供。【解決手段】従来のカンヌキ錠の可動部であるレバ−を、Ｔ字型にしたうえ、これに左右に回る把手を取り付けるとともに、あわせて扉を閉めた際自動的にレバ−を引き寄せて受け金具に嵌入させるためのバネを取り付けた。これにより、扉を開くときは、把手を約９０度右に回しながら手前に引くことにより、レバ−が受け金具から外れて扉は開かれ、反対に閉める場合は把手を同様右に回しながら扉を閉めたのち、把手から手を離すと同時に、バネの張力によりレバ−が引かれて受け金具に嵌入し施錠される。【選択図】図１
0003118544.tif 000002
【実用新案登録請求の範囲】
【請求項１】
本考案は、食器用戸棚の扉に用いるカンヌキ錠のレバ−をＴ字型にしたうえ、これに引き戸用把手とバネを取り付け、扉を閉めた際に自動的かつ確実に錠が掛かるようにしたことを特徴とする自動施錠式カンヌキである。
【請求項２】
カンヌキのレバ−を受け金具から外し扉を開けた後もレバ−の遊びを抑えるため「レバ−取り付け板」にストッパ−を装置したことを特徴とする自動施錠式カンヌキである。
【考案の詳細な説明】
【技術分野】
【０００１】本考案は、食器用戸棚の施錠方法に関するものである。
【背景技術】
【０００２】一般に食器用戸棚には手により容易に開閉できる観音開き扉が用いられている。
【考案が解決しようとする課題】
【０００３】地震時にはその振動とショックにより扉が開き、食器類が飛び出したり破損したりの被害をうけ、安全面からも危険なことになる。最近はこのことから簡単な施錠金具が市販されているが、充分なものとはいえず、また扉の開閉と施錠が別動作となるため錠を掛け忘れる恐れガある、この場合折角取り付けてあっても、災害時に用をなさないことになる。
【課題を解決するための手段】
【０００４】本考案は、従来のカンヌキ錠に改良を加えることにより、扉を閉めると同時にカンヌキが自動的かつ確実に施錠する方法である。
【考案を実施するための最良の形態】
【０００５】即ち、Ｔ時型にしたカンヌキ錠のレバ−に、扉の開閉に用いる把手を取り付けるとともに、扉を閉める際、レバ−を引っ張ることにより受け金具に嵌入させるためのバネをレバ−とレバ−受け金具の間に取り付けた。
これにより扉を開く時には、把手を約９０度右に回しながら手前に引くことにより、レバ−が受け金具から外れ扉が開かれる。
一方閉める場合は同じく把手を約９０度右に回しながら扉を閉めた後、把手から手を離すと同時にバネの張力により、レバ−が引かれ受け金具に嵌入、施錠される。なお施錠後のレバ−はバネにより受け金具内に収められているため振動によって外れる恐れは防止される。
【実施例】
【０００６】以下、添付図面に従って一実施例を説明する。【０００７】先ず図１・図２に示すようにＴ字型をしたカンヌキ錠のレバ−１に、把手３を取り付けるとともに、レバ−とレバ−取り付け板の間に線条型のバネ４、または図３・図４に示すような螺旋状のスプリング４−１を取り付ける。なお扉が開いている間はレバ−のふらつきを抑えるためレバ−取り付け板にストッパ−ピン７を取り付ける。【０００８】また他方の扉には図５のようにレバ−施錠用の受け金具２を取り付ける。
【考案の効果】
【０００９】１，扉を閉めた際、カンヌキが自動的に施錠されるので、錠の掛け忘れを防げる。
２，扉が閉まっている間は、常にカンヌキが施錠されているので不意の地震でも振動やショックで扉が開くのを防止できる。
３，扉の開閉は把手のみの操作なので容易である。
４，構造が簡単なため取り付けが容易。
５，低コストである。
【図面の簡単な説明】
【００１０】
【図１】線条型のバネを取り付けた自動施錠式カンヌキ錠の正面略図である。
【図２】線条型のバネを取り付けた自動施錠式カンヌキ錠の側面略図である。
【図３】螺旋型のスプリングを取り付けた自動施錠式カンヌキ錠の正面略図である。
【図４】螺旋型のスプリングを取り付けた自動施錠式カンヌキ錠の側面略図である。
【図５】自動施錠式カンヌキ錠の受け金具の側面略図である。
【符号の説明】
【００１１】１，レバ−
２，レバ−受け金具
３，把手
４，線状形バネ
４−１，螺旋形スプリング
５，軸ネジ
６，レバ−ト取り付け板
７，ストッパ−ピン
【図１】
0003118544.tif 000003
【図２】
0003118544.tif 000004
【図３】
0003118544.tif 000005
【図４】
0003118544.tif 000006
【図５】
0003118544.tif 000007
(57)【要約】【課題】冬の寒冷時、オートバイ運転時の足腰の冷えを防止するため、単車の座席上に敷く、１２ボルトで起動する小型の防滴仕様の電気毛布を提供する。【解決手段】防水、耐熱性のアルミ蒸着シート１で耐熱電線２とサーモスタット３を挟んで接着した発熱シートを、単車の座席に敷く事により、暖かく運転できるようにする。【選択図】  図１
0003118543.tif 000002
【実用新案登録請求の範囲】
【請求項１】
オートバイのシート上面に敷く事により、冬場でも暖かく運転できる事を目的に、１２ボルトで起動させる為に、低電圧で発熱する耐熱電線ＵＬ１００７ＡＷＧ２８を発熱体に使用し、且つ屋外での使用にも耐える様に防水、耐熱性の有るアルミ蒸着シートを側に用いて、発熱体及び最高温度制御用サーモスタットを包んで防滴性能を持たせた小型の電気毛布。
【考案の詳細な説明】
【技術分野】
【０００１】  本考案は、寒冷時にオートバイ運転時の足腰の冷えを防止するために、臀部から温まれる様にした小型防滴電気毛布に関するものである。
【背景技術】
【０００２】  従来は、乗用車のシートに発熱体を内蔵する形のシート暖房はあるが、単車の様な過酷な使用環境での暖房装置はなかった。
【考案の開示】
【考案が解決しようとす課題】
【０００３】  冬の寒い時期など、体の露出する単車の運転は寒風に直接曝され大変厳しい状態に置かれる事が多い。また、最近のミニバイク等はオートマチック化が進み、足によるギヤチェンジが無くなり、足先を動かす事自体が無く、シートに腰掛けたまま、足を揃えて座るという同一姿勢で運転するため、下半身がさらに冷えるという難点が有る。本考案は、この課題を解決するためになされたものである。
【課題を解決するための手段】
【０００４】  本考案は、オートバイの座席上面に、防水、耐熱性のアルミ蒸着シートを使用した小型電気毛布を敷く事により、臀部から温まり冬場でも暖かく運転しようとするものである。２枚のアルミ蒸着シートで、１２ボルトで発熱する耐熱電線と、温度制御用サーモスタットを挟んで接着した物を発熱体に使う事により、屋外での使用に耐えるようにしました。初期型は、温度コントローラー（最高５０℃）と、発熱シート部の分離型でしたが、実装実験の結果、単車運転時にこまめに温度設定などしていられない事が判明、また表面温度４１度前後での使用しか無い事から、現在のサーモスタットにょる自動温度制御型に決定しました。
【考案の効果】
【０００５】  本考案の電気毛布を使用する事により、カイロ等の消耗する保温具によらずに、手軽に温まれる。また、ミニバイク等、腰掛けるシートタイプなら臀部から大腿部裏側までと広範囲に渡って暖かいため、長時間のツーリングでも快適に過ごす事ができます。さらに、製品の取り付け、取り外しが容易であり、座席に後付けする事が出来ます。
【考案を実施するための最良の形態】
【０００６】  発熱体には、耐熱電線ＵＬ１００７  ＡＷＧ−２８を１５ｍ使用し、サーモスタットは、バイメタルサーモスタットＴＨ−４５Ｗ６０を用い、アルミ蒸着シートは、アイロン台等に使われる耐熱仕様の布製の物を使用します。形状は、基本的には四角だが、カブのシートのように三角型の場合もあります。
【実施例１】
【０００７】  図１は、本考案の１実施例の正面図であって、アルミ蒸着シート１の片側に、結線した耐熱電線２とサーモスタット３を配置し、ホットボンド等を用いて仮止めする。この際、耐熱電線２が重なり合わない様にするのが肝心である。【０００８】  図１の状態になったアルミ蒸着シート１の全面に、硬くならない合成ゴム系のスプレー糊を噴霧し、半乾きになったらＡ−Ｂ間から折返し、圧着し図２の状態にする。
【産業上の利用可能性】
【０００９】  本考案は、温度制御を自動化した事により最小の部品点数で製作でき、また構造の簡略化から、ほぼ一年にわたる実装耐用実験でも、単車、考案物件両方ともに故障など発生する事なく、考案者のミニバイクに装備されています。部品数が少ない為に安価で、故障要素が少なく丈夫な製品が出来ると確信しています。またなにより、寒いバイクにこそ暖房が欲しいのに世に何もないので、自作しました。これならバイク愛好家のみならず、新聞配達の皆さんや郵便屋さん等、仕事でバイクを利用する方の需要が望まれるものと考えられます。
【図面の簡単な説明】
【００１０】
【図１】  本考案の正面図である。
【図２】  本考案の断面図である。
【符号の説明】
【００１１】  １  アルミ蒸着シート
２  耐熱電線
３  サーモスタット
【図１】
0003118543.tif 000003
【図２】
0003118543.tif 000004
(57)【要約】      （修正有）【課題】脱落を防止する人形用アクセサリーの提供。【解決手段】指輪１に弾力性のあるリング２を内側に貼ることによって人形とアクセサリーがより密着する事により脱落を防止し、人形に様々なアクセサリーを装着する事が可能になり、人形の装飾性の幅を向上させるのに役立つ。【選択図】図３
0003118548.tif 000002
【実用新案登録請求の範囲】
【請求項１】
リング状体の内面にセット可能な弾力性材と、リング状体からなることを特徴とする人形用アクセサリー。
【請求項２】
内側の面に溝を形成し、その溝に弾力性材が設けられてなることを特徴とする人形用アクセサリー
【考案の詳細な説明】
【技術分野】
【０００１】  本校案は人形にアクセサリーを装着する際に、アクセサリーが抜け落ちたり外れたりすることを防止するものである。
【背景技術】
【０００２】  人形は人間と異なり弾力性が乏しいため、通常の指輪、腕輪、ティアラ等は抜け落ちたり、滑りおちてしまう。
【考案の開示】
【考案が解決しようとする課題】
【０００３】  指輪、腕輪、ティアラ等に弾力性のある素材を組み合わせる事により、人形にアクセサリーが密着し、前述の欠点を解決しようとするものである。
【課題を解決するための手段】
【０００４】  本考案は指輪、腕輪、ティアラ等のアクセサリーにシリコン、ゴム、スポンジ及び弾力性材をアクセサリーの内側に貼る。あるいはそれらの素材を用いたリングをアクセサリーとセットにすることによりアクセサリーが抜け落ちたり、外れたりする問題を解決している。尚、内面に溝を形成してもよい。
【考案の効果】
【０００５】  人形の多数は手足や関節の可動も少なく、アクセサリーをつけていても飾られておく場合が多く脱落の心配はない。しかし昨今、関節が自在に動く人形が増え、またそのような人形に様々な衣装や付属品を装着して楽しむ人々が増えつつある。そして個人でアレンジした人形を持ち歩く事もあるので、その際抜け落ちたり、外れたりしないアクセサリーは持ち主にとって人形の装飾性の幅を向上させることが可能となる。
【考案を実施するための最良の形態】
【０００６】  シリコン、ゴム、スポンジ及び弾力性材を人形用の指輪、腕輪、ティアラ等アクセサリーの内側に溝を形成して貼る、もしくはそれらの素材を用いた輪（リング）とアクセサリーをセットにする事により、人形がどのようなポーズをとっても抜け落ちたり、外れたりする事を防止できる
【実施例】
【０００７】  以下添付図面に従って実施例を説明する。【０００８】  図１は人形用指輪１を人形の指にはめ、その後弾力性材２を用いた輪２をはめるものである。それにより脱落が防止される。【０００９】  図２は前述とは異なり、弾力性材２を先ず人形の指にはめ、その上に人形用指輪１をはめるものである。【００１０】  次に図３及び図４に示す本考案の異なる実施の形態について説明する。人形用指輪１の内面に溝５を形成することにより弾力性材２が安定する。尚、これらの本考案の異なる実施の形態の説明にあたり、前記本考案の実施の形態と同一構成部分には同一符号を付して重複する説明を省力する。また図５，図６は人形用ティアラ４の内面に弾力性材を貼り付けた実施例である。【００１１】  なお、前記本考案の実施の形態では指輪、ティアラについて説明したが、本考案はこれに限らず、弾力性材を用いて腕輪、足輪等にも同様に実施することができる。
【図面の簡単な説明】
【００１２】
【図１】本考案の一実施例を示す斜視図である。
【図２】本考案の一実施例を示す斜視図である。
【図３】本考案の別の実施例を示す斜視図である。
【図４】本考案の別の実施例を示す平面図である。
【図５】本考案の別の実施例を示す斜視図である。
【図６】本考案の別の実施例の使用状態を示す正面図である。
【符号の説明】
【００１３】１  人形用指輪
２、２ａ  弾力性材
３  人形用指輪
４  人形用ティアラ
５  溝
【図１】
0003118548.tif 000003
【図２】
0003118548.tif 000004
【図３】
0003118548.tif 000005
【図４】
0003118548.tif 000006
【図５】
0003118548.tif 000007
【図６】
0003118548.tif 000008
(57)【要約】      （修正有）【課題】吹き矢を実施するにあたり、その動作をスムーズに効率的に、なおかつ、道具の移動性向上も改善した、機能・形状・構造を提供する。【解決手段】的以外の使用部材全てを、収納スタンドに揃え、スムーズに手早く動作ができる。収納スタンドを、軽量でコンパクトにし、さらに、着脱・組み立て式にすることにより、移動が便利になる。収納スタンドを、収納方法・形状・高さ・幅・位置調整等に及び工夫して、部材等が、簡単に、取り出しやすく、収めやすくし、そのことにより、楽に、効率よく動作することができる。【選択図】図１
0003118528.tif 000002
【実用新案登録請求の範囲】
【請求項１】
Ｔ型形状を基本とした台座１・２と筒受け部３・４及び筒受け部３・４に差し込む、立て筒５・６・７、それと、フック９を付けた矢入れホルダー８、で構成され、台座接地安定部材１１・１２・１３の三点支持構造の吹き矢スタンド。
【請求項２】
台座１と台座２は蝶ナット１０で結合され、蝶ナット１０を緩め台座１、２を回転スライドさせることにより、Ｔ形状を、直線状に変形出来る吹き矢スタンド。
【請求項３】
立て筒５・６・７と矢入れホルダー８は、着脱・組み立てが出来る構造の吹き矢スタンド。
【考案の詳細な説明】
【技術分野】
【０００１】本考案は、吹き矢を実施するに当たり、その動作をスムーズに効率的に、なおかつ、道具の移動性向上も改善した、機能・形状・構造に関するもの。
【背景技術】
【０００２】従来の吹き矢収納具類は、すべての部材をセット収納した、立方体形のものや、単に、吹き矢筒を立てかけるだけの、棚式ものが有ります。
【考案の開示】
【考案が解決しようとする課題】
【０００３】従来のものは、形状が大きく、重く、移動に困難であり、設置においても不安定であり、取扱いが不便で、複雑でありました。
【課題を解決するための手段】
【０００４】請求項１・２・３に記載された内容です。
【考案の効果】
【０００５】本考案では、従来のものより、次の効果が優れています、第１に、コンパクトで場所を取らない、第２に、軽量で着脱及び組み立てが簡単なことにより、持ち運びに便利、第３に、吹き矢の動作が手早く、スムーズに出きるような形状・大きさにした、第４に、三点支持で、重心が一番安定する形にしました。
【考案を実施するための最良の形態】
【０００６】本考案は、請求項１・２・３の構成ですので、吹き矢の動作が、一般成人のみならず年寄りの人、女性においても、スムーズに便利に実施できます。
【図面の簡単な説明】
【０００７】
【図１】本考案の斜視図
【図２】本考案の着脱・分解図
【符号の説明】
【０００８】  １  横台座ａ    ２  縦台座ｂ    ３  吹き矢受け筒    ４  筒受けｃ
５  短筒    ６  ソケット付筒    ７  長筒    ８  矢入れホルダー
９  フック    １０  蝶ナット    １１  台座安定接地部材ｅ
１２  台座安定接地部材ｆ    １３  台座安定接地部材ｇ
【図１】
0003118528.tif 000003
【図２】
0003118528.tif 000004
【手続補正書】
【提出日】平成17年10月17日(2005.10.17)
【手続補正１】
【補正対象書類名】実用新案登録請求の範囲
【補正対象項目名】全文
【補正方法】変更
【補正の内容】
【実用新案登録請求の範囲】
【請求項１】
１横台座ａと２縦台座ｂをＴ形状に組み合わせ、重なる部分は、１０蝶ナットで接合し、２縦台座ｂには、３吹き矢受け筒と５短筒を組み合わせた吹き矢筒収納部と、４．６．７．８．９部材を組み合わせた矢の収納部で構成され、１１．１２．１３台座接地安定部材の、三点支持構造の吹き矢スタンド。
【請求項２】
基本のＴ形状を、１０蝶ナットの締め付け操作により、直線状にも変形できる、請求項１記載の吹き矢スタンド。
【請求項３】
着脱・組み立てができる、請求項１記載の吹き矢スタンド。
(57)【要約】【課題】シール（１）に、柔軟性があるゴム（２）などの、手を刺激して手相の筋を製作することが出来る柔軟性がある物質を取り付けた、手相製作シールを提供する。【解決手段】シール（１）にゴム（２）などの柔軟性がある物質を取り付ける事を特徴とする。【選択図】  図１
0003118525.tif 000002
【実用新案登録請求の範囲】
【請求項１】
シール（１）に、ゴム（２）などの、手を刺激して手相の筋を製作することが出来る、柔軟性がある物質を取り付けた、手相製作シール。
【考案の詳細な説明】
【技術分野】
【０００１】  この考案は、シールにゴムなどの手を刺激して手相の筋を製作することが出来る柔軟性がある物質を取り付けた、手相製作シールに関するものである。
【背景技術】
【０００２】  従来から理想の手相を作る為に、手型を作る必要があるような大掛かりな手相製造装置や、メスを使って直接手のひらに施術する事があった。
【考案の開示】
【考案が解決しようとする課題】
【０００３】  これは次のような欠点があった。
（イ）手に手相の筋をつくるのに、多くの費用が必要であった。
（ロ）大掛かりな事が多く、手間がかかった。
本考案は、これらの欠点を除くためになされたものである。
【課題を解決する為の手段】
【０００４】  シール（１）に、ゴム（２）などの手を刺激して手相の筋を製作することが出来る柔軟性がある，物質を取り付ける。
本考案は、以上のような構成よりなる手相製作シールである。
【考案の効果】
【０００５】  考案は、以上のような構造で、これを使用するときは、手の手相の筋を作りたい部分に、絆創膏を貼る要領で貼り付けて、理想の手相の筋が出来るまで同じ部分に継続使用すれば、手相の筋が製作される効果が得られる。なお、ゴム（２）の代わりに手相の筋を作る物質として、シリコン、プラスチック、綿、麻、合成繊維の紐などを装着したり、図４のようにシールを突起形状（３）にしてもよい。
【考案を実施する為の最良の形態】
【０００６】  以下、本考案の実施の形態について説明する。
シール（１）に、ゴム（２）などの，手を刺激して手相の筋を製作することが出来る柔軟性がある物質を取り付ける。
本案を使用するときは、絆創膏を貼る要領で貼り付けて、理想の手相の筋が出来るまで同じ部分に継続使用する。すると、理想の手相の筋が製作される効果が得られる。
【図面の簡単な説明】
【０００７】
【図１】  本考案の斜視図である。
【図２】  本考案の平面図である。
【図３】  本考案の実施例を示す斜視図である。
【図４】  図３の他の実施例としてシールを突起形状にした事を示す斜視図である。
【符号の説明】
【０００８】  １  シール    ２  ゴム    ３  シールの突起形状
【図１】
0003118525.tif 000003
【図２】
0003118525.tif 000004
【図３】
0003118525.tif 000005
【図４】
0003118525.tif 000006
(57)【要約】      （修正有）【課題】片手でも容易にペットボトルの出し入れ、キャップの開閉ができる事を目的として障害による片手の不自由な人にも片手だけで使用できるようにする。【解決手段】脱着が容易なテープバックル付きベルトにより片手での装着や取り外しも１人で出来る。ホックにて楽に長さを調節することが出来る。ウエストに固定する事で安定した歩行が出来る。外出時に必要な時にはいつでもペットボトルを携帯でき、健常者にも障害者にも有効に使用できるものである。【選択図】図１
0003118522.tif 000002
【実用新案登録請求の範囲】
【請求項１】
保温性を有する素材によって製作されたホルダー本体と、
ホルダー本体を保持する為のベルトに一定の間隔を置きホックを取り付けることで腰に装着する際のベルトの長さ調節が簡易にできることを特徴とする。
【請求項２】
前記ホルダー本体は
ホルダー本体の内部底面に摩擦と弾性に富む素材を取り付けペットボトル底面との摩擦力を利用し片方の手だけでペットボトルのキャップの開閉が容易にでき、
取り外したキャップはホルダー本体に取り付けたポケットに出し入れする事ができることを特徴とする。
【請求項３】
前記ホルダー本体は
ホルダー本体をベルトで腰に固定することで歩行の妨げにならないこと、
実登３０６７１９５を利用する際ホルダー本体に安定性が無くまた片方の手だけの使用は困難であるのに対し本考案は開口縁部に萎まらないような素材を使用筒状の形状であるためペットボトルを出し入れる際腰に固定されたホルダー本体より片方の手だけで自在に利用できることを特徴としたペットボトルホルダー。
【考案の詳細な説明】
【技術分野】
【０００１】本考案は清涼飲料などの入れられたペットボトルを携帯した時に片手でも簡単に利用できるペットボトルホルダーに関するものである。
【背景技術】
【０００２】近年、軽量性、リサイクル性、清潔性と清涼飲料水の容器として様々な分野に幅広くペットボトルが使用されている。いつでも手軽に使用できるためペットボトルをレジャーや外出時に日常的に携帯する事が多くなっており、携帯用のペットボトルホルダーも考案されているが片方の手だけで利用できるものがない。
（下記特許文献参照）【０００３】
【登録実用新案広報】
実登３０６７１９５公報
【考案の開示】
【考案が解決しようとする課題】
【０００４】荷物を持ったり、作業中に片方の手が離せなかったり、片方の手を使うことが出来ない障害者でも簡易に片手でペットボトルの取り扱いが出来ることが必要。
【課題を解決するための手段】
【０００５】本考案は片手でも容易にペットボトルの出し入れ、キャップの開閉ができる事を目的として障害による片手の不自由な人にも片手だけで使用できるように考案し提供することにある。
【考案の効果】
【０００６】ペットボトルホルダー本体のベルトはテープバックルにて脱着出来るので片手で装着や取り外しが容易である。ベルトの長さ調節はホックを等間隔に数個付けたことで簡単に出来るので誰にでも対応出来る利点がある。腰に。固定することで歩行の妨げにならない。
【考案の効果】
【０００７】ホルダー本体の外面には防水性の素材を、ペットボトルに接する内面には保温性を有する素材で製作しているので保温効果があり冷えたものを入れてた場合でも体を冷やすことはない。ホルダー本体の底面に取り付けた摩擦と弾性に富む素材によりペットボトルのキャップの開閉が片手で楽にできる。キャップはホルダー本体に具えたポケットに出し入れすることができるので落とす心配も無い。
【考案を実施するための最良の形態】
【０００８】図１の３で示す脱着が容易なテープバックル付きベルトにより片手での装着や取り外しも１人で出来る。図１の４のホックにて楽に長さを調節することが出来る。ウェストに固定する事で安定した歩行が出来る。外出時に必要な時にはいつでもペットボトルを携帯でき健常者にも障害者にも有効に使用できるものである。
【実施形態の効果】
【０００９】手荷物を持ったり作業をする健常者にもペットボトルの携帯が楽になるが、障害者にとっては軽量で手軽なペットボトルを携帯する事は困難なうえ片手でペットボトルのキャップの開閉をすることはもっと困難を要するものである。本考案はそれらの課題をを解決するものである。
【他の実施形態】
【００１０】ペットボトルホルダー本体のベルトの部分を除きベルト通しを取り付けることにより日常使用しているベルトに通し装着して使用する。
【図面の簡単な説明】
【００１１】
【図１】この発明の実施形態を示す。ペットボトルを入れた正面図である。
【図２】この発明の実施形態を示す。ペットボトルホルダー本体のＡ−Ａ矢視図である。
【符号の説明】
【００１２】１  ペットボトルホルダー本体
２  ベルト
３  テーブルバックル
４  長さ調節用ホック
５  キャップ入れポケット
６  ペットボトル本体内面用保温性の素材
７  ペットボトルホルダー底面シート
【図１】
0003118522.tif 000003
【図２】
0003118522.tif 000004
【手続補正書】
【提出日】平成17年10月13日(2005.10.13)
【手続補正１】
【補正対象書類名】実用新案登録請求の範囲
【補正対象項目名】全文
【補正方法】変更
【補正の内容】
【実用新案登録請求の範囲】
【請求項１】
保温性を有する素材で構成されたペットボトルのホルダーと、このホルダーを腰に装着するためのベルトより成り，前記ホルダーの底部には、これに入れたペットボトルの蓋をあけるときに同ボトルの回転を防止する素材が取り付けられており、前記ベルトは長さ調節可能になっていることを特徴とするベルト付きペットボトルホルダー。
【請求項２】
請求項１記載の前記ホルダーは、その内部底面にペットボトルの滑りを止める弾性に富む素材を取り付けたことを特徴とするベルト付きペットボトルホルダー。
(57)【要約】      （修正有）【課題】一般的な墓の「ろうそく立て」及び「線香立て」は数が限られていることから多数の墓参人にも対応できる「ローソク立て」を提供する。【解決手段】献火人数に合わせて、増減できる「ろうそく立て１」及び「線香立て５」を一対の物とした利便性と、移動可能を容易とした「木製ローソク立て」。【選択図】図１
0003118523.tif 000002
【実用新案登録請求の範囲】
【請求項１】
便宜その数を増減できる「ろうそく立て」及び「線香立て」を、一対の物として使用できると共に、比較的加工が容易な木材を使用することを特徴とした「木製ローソク立て」。
【考案の詳細な説明】
【考案の詳細な説明】
【技術分野】
【０００１】本考案は多数の敬けんな人々が、先祖の墓参の時に供養の象徴として「ろうそく」、「線香」を供える際に用いる献火台の「木製ローソク立て」の考案に関する。
古い墓などには、燭台．線香立てが設置されていないものや、それが少数のものもあるため墓参の際に、不具合が生じる場合が多々ある。
【背景技術】
【０００２】そこで、本考案は、前記した多数の敬けんな人々の燭火に伴い、燭台．線香立ての不足を補うために、従来の金属製に比べ安価で、見た目にも柔らかな印象を与える天然木を使用して、燭火数、線香立て数共に便宜増減できる「木製ローソク立て」装置を提供するものである。
【考案が解決しようとする課題】
【０００３】一般的な墓に設置されてある「ローソク立て」は、墓参人数によって献火ろうそく、及び線香の数が増加した場合、献火できない場合もあり、先祖の供養を心より祈念する人々にとって不都合が生じてしまうのである。
【課題を解決するための手段】
【０００４】そこで本考案は、従来の墓の「ローソク立て」の数不足、及び金属製の物に対して献火数も便宜増減でき、優しい温もりを備えた「木製ローソク立て」の考案に関する。
【実施例】
【０００５】本考案の実施例を図面に基づき説明すれば、次のとおりである。図１に示されているように、上段．Ａ、中間部．Ｂ、台座Ｃで構成され、各部Ａ，Ｂ，Ｃは木板２，３，４よりなり、上段．Ａには整然と「ろうそく」を立てるための釘状の金属棒１が等間隔で立設されている。また、金属棒１にはチューブ状の保護材１ａがそれぞれ設置されており、金属棒１、保護材１ａは共に必要に応じて便宜調節できるものとする。次に、台座Ｃは図１に示されているように、両端部に「線香立て」として使用するための塩ビパイプ５があり、図２のようにパイプと同径の固定用溝６が、掘られている。これにより、運搬時などに塩ビパイプ５が容易に外れるのを防止する。そして、上段Ａは中間部Ｂにより、台座Ｃに固定され、即ち「ろうそく立て」と「線香立て」が一対の物として、使用できるものである。本考案は、以上の構成からなるもので、多数の墓参人にも対応でき、移動持ち運びにも優れ、その見た目の柔らかさ等の利便性と効果を奏するものである。
【考案の効果】
【０００６】以上、詳述したとおり、本考案は既存の「ろうそく立て」には期待し得なかった利便性と、材質の性質からなる、自然の風合いにより、墓参という慣習をより一層なじみ深いものにする効果を兼ね備えている。
【図面の簡単な説明】
【図１】本考案の構成を正面から示した斜視図である。
【図２】本考案の構成を示した斜視図である。
【符号の説明】
Ａ  上段    Ｂ  中間部    Ｃ  台座
１  釘状の金属棒
１ａ  チューブ状の保護材
２，３，４  木板
５  塩ビパイプ
６  パイプ固定用の円径溝
【図１】
0003118523.tif 000003
【図２】
0003118523.tif 000004
【手続補正書】
【提出日】平成17年10月15日(2005.10.15)
【手続補正１】
【補正対象書類名】実用新案登録請求の範囲
【補正対象項目名】全文
【補正方法】変更
【補正の内容】
【実用新案登録請求の範囲】
【請求項１】
木板に等間隔で、ローソクを固定する為の釘状金属棒を立設した上段と、線香を立設する為のパイプが固定された下段を、中間部を設けることで一体化した形状を有する木製ローソク立て
(57)【要約】      （修正有）【課題】手のひらを軽く片手でマッサージできるようにする手のひらマッサージ器具の提供。【解決手段】スティック状の物の上にこぶを作り、これに網を被せたこぶに被せた網で刺激が増大する。スティック状のこぶを作った反対側にＵの字型のくぼみを作る（４箇所）。Ｕの字型のくぼみが指４本に掛かるので少しの力で十分な刺激になる。【選択図】図２
0003118526.tif 000002
【実用新案登録請求の範囲】
【請求項１】
ステック状な物の上にこぶを作りこれに網をかぶせた
【請求項２】
ステック状のこぶを作った反対側にＵの字型のくぼみを作った
【請求項３】
ステックに取り付けたこぶを左右５０ミリほど移動できる
【考案の詳細な説明】
【背景技術】手のひらマッサージの健康促進
［考案が解決しようとする課題］
手のひらにも足裏と同じようにたくさんのつぼがあります、これを効果刺激できる
［課題を解決するための手段］
ステック状も物の上部にこぶを作りこのこぶで必要箇所を指圧する
［考案の効果］
ステック状のものを握るので少しの力で効果的に刺激ができる
［考案を実施するための最良の形態］
ステック状の上にはこぶをつけ、これに網をかぶせ刺激の増強を図る
ステック状の下側には指に合わせたＵの字型のくぼみを付ける
ステック上のこぶは左右５０ミリほど移動できるようにした
［実施例］
発明者及び数十人に体験してもらった結果４本指で握るので少しの力で効果的な力が出せたとの治験報告があった
【図面の簡単な説明】
【図１】ステックのうえのこぶに網を被せこぶの反対側にＵ時型の溝を付けた
【図２】ステックうえのこぶが５０ミリほど移動できる
【図３】ステックの上のこぶに網を被せた
0003118526.tif 000003
【図１】
0003118526.tif 000004
【図２】
0003118526.tif 000005
【図３】
0003118526.tif 000006
【手続補正書】
【提出日】平成17年10月13日(2005.10.13)
【手続補正１】
【補正対象書類名】実用新案登録請求の範囲
【補正対象項目名】全文
【補正方法】変更
【補正の内容】
【実用新案登録請求の範囲】
【請求項１】
ステック状な物の上にこぶを作りこれに網をかぶせた手のひらマッサ−ジ器具。
【請求項２】
ステック状のこぶを作った反対側にＵの字型のくぼみを作った。請求項１に記載の手のひらマッサ−ジ器具。
【請求項３】
ステックに取り付けたこぶを左右５０ミリほど移動できる  請求項１または請求項２に記載のマッサ−ジ器具。
(57)【要約】      （修正有）【課題】チャコを削る手間を省き、無駄なチャコの消耗を無くすることで、チャコの省資源を図る。【解決手段】板状チャコ１の一端に上部に突起３と左右に擦動部４を設けたチャコ保持具を挿入して装着し、指先で握りやすい大きさで、底部５と上ぶた６を組み合わせ一端が開放部８になったチャコケースに収納することで、チャコ保持具に設けられた突起部３と擦動部４が、ケース上ぶた６に設けられた溝７に挿入され、突起部３を指でスライドさせることで、チャコケース一端の開放部７からチャコ一１を繰り出して使用するよう考案され、板状チャコ１は破損しない程度に薄く成型することで細いチャコ印が可能で、チャコケースはチャコの破損を防止する。【選択図】図１
0003118571.tif 000002
【実用新案登録請求の範囲】
【請求項１】
板状チャコの一端に保持具を装着して、底部と上ぶたで構成され、一端が開放になったチャコケースに収納し、指でチャコ保持具の突起部をチャコケースの上ぶたに設けられた溝に沿ってスライドさせ、チャコをチャコケースから繰り出し、突起部左右に設けられた擦動部が溝に圧着して適宜チャコの繰出し量を固定することが出来る板状チャコとチャコケースの組み合わせ。
【考案の詳細な説明】
【技術分野】
【０００１】本考案は、保持具を装着した板状チャコを、破損防止のためにケースに収納し、ケースの開放部からチャコを繰り出して使用するする保持具を装着したチャコとチャコケースの組み合わせによるものである。
【背景技術】
【０００２】裁縫や手芸などで布地にチャコ印をする作業では、従来から、粉末チャコと固形チャコが使われていて、夫々に形態が多様であるが通常多く使用されている固形チャコには、鉛筆タイプ、ノック式ペンシルタイプ、板状のチャコを直接指先で握って使用するものなどがある。
固形チャコは、チャコ印作業を続ける事で摩耗してだんだんチャコ印が太くなり、繊細なチャコ印が出来なくなるため、小刀や専用ナイフなどを使い、摩耗した先端を削って使用する場合が多く、市販品の板状の固形チャコには専用のナイフが添付されたものや、チャコの意匠箱にＶ型の研ぎ面を設けたものもある。
【考案が解決しようとする課題】
【０００３】チャコ印作業において、専用のナイフや小刀を使用してチャコの摩耗部分を削ることは手間がかかり、削ることによる不要なチャコの消耗が多い。
【課題を解決するための手段】
【０００４】板状チャコの厚みを薄く成形することで、摩耗したチャコをナイフや意匠箱のＶ形面や小刀を使って削ることが無くなり、チャコの破損を防止するためにチャコケースに収納し、チャコ印作業に際しては、チャコ保持具に設けられた突起部と擦動部を指でスライドさせることにより、適宜、チャコをチャコケースの開放部から繰り出し固定して使用する。また、チャコと保持具の脱着、及び、チャコケースへの収納が簡単に行うことができ、チャコ保持具とチャコケースは繰り返し使用することができる。
【考案の効果】
【０００５】本考案によりチャコを削る手間を省き、無駄なチャコの消耗を無くすることで、チャコの省資源となる。
【考案を実施するための最良の形態】
【０００６】図１は本考案実施の形態を示すもので、図３、図４、図５は本考案実施の形態を示す図１の構成部分で、図３はチャコケース上ぶた，図４は成形された板状チャコ１に突起部３と左右の擦動部
0003118571.tif 000003
チャコを収納するチャコケース底部５で、  図２は図１におけるＡ−−−−Ａ′位置の断面図を示している。図４は板状チャコ１
0003118571.tif 000004
容易に脱着出来ることを示している。チャコケース５，６は指先で握ってたわみの生じない金属板か硬質プラスチック製で、保持具２は上面には突起部３と突起部の左右には擦胴部４が設けられていて弾性のある薄い金属製とする。チャコ１をチャコケースに収納することにより図１に示す如くチャコ保持具上部の突起３と擦同部４が上ぶた６に設けられた溝７に挿入され、指先で移動させる事ができ、突起３の左右に設けられた擦動部４が溝７圧着することによりチャコケースの開放部から繰出されるチャコの量を加減して固定して使用する。
【図面の簡単な説明】
【０００７】
【図１】本考案実施の形態
【図２】図１に於けるＡ−−−−−Ａ′位置の断面図
【図３】チャコケースの上ぶた
【図４】チャコとチャコ保持具
【図５】チャコケース底部
【符号の説明】
【０００８】１        板状チャコ
２        チャコ保持具
３        チャコ保持具上部に設けられた突起
４        チャコ保持具の突起部左右に設けられた擦動部
５        チャコケースの底部
６        チャコケースの上ぶた
７        チャコ保持具の擦動部がスライドする溝
８        チャコケースの開放部
【図１】
0003118571.tif 000005
【図２】
0003118571.tif 000006
【図３】
0003118571.tif 000007
【図４】
0003118571.tif 000008
【図５】
0003118571.tif 000009
(57)【要約】【課題】  この考案は建設工事現場に於いて仮設する、パイプ足場を利用して、取付け、取り外しが、簡単にできる配管サポートに関する、生コンクリート圧送配管取付足場用ブラケットを提供する。【解決手段】  本考案は不等皿アングル（２ａ）面側２ケ所要部にパイプクランプ（３）を溶接固定し、足場用単管（Ｐ１）に取り付け、（２ｂ）面側２ケ所要部にＵバンド取付用ボールトの貫通長穴（２ｄ）を設け、生コンクリート圧送配管をＵバンドで固定する。【選択図】図２
0003118572.tif 000002
【実用新案登録請求の範囲】
【請求項１】
不等辺山形鋼の長い辺側の所要部２ケ所に仮設足場用単管に固定される、パイプクランプ本体を溶接によって固着してなる圧送管取付足場用ブラケット。
【請求項２】
不等辺山形綱の短い辺側にコンクリート圧送用の輸送管を固定する、Ｕバンド取付用挿通孔２ケ所を設け、ナットにて蝶合するＵバンドによって、コンクリート圧送用の輸送管を取り付けてなる、請求項１記載の圧送管取付足場用ブラケット。
【請求項３】
不等辺山形鋼Ｌ字内側中心部に三角形の補強用板片を介装してなる請求項１記載の圧送管取付足場用ブラケット。
【考案の詳細な説明】
【技術分野】
【０００１】  本考案は建築作業現場で仮設するパイプ足場を利用して生コンクリート圧送用配管の配管サポートに関する考案である。
【背景技術】
【０００２】  従来より建築物の場合、生コンクリート圧送配管の固定は、外部ビティー足場に緊結するか、各階の鉄骨バリにハイカンサポートを取り付けたアングルを溶接固定するか、ボールト止メ等の方法があるが、いずれにしても輸送管１本ごとに固定して芯が通っていることを確認しなければならない。
【考案の開示】
【考案が解決しようとする課題】
【０００３】  上記のような、配管サポートでは取り付け不便で高くつく上に、現場作業が終了して配管サポートを外すのも不便であった。【０００４】  本考案は上記の課題を解消すべく創出されたもので、製作コストが安く、搬送や保管に便利で建築作業現場の短管足場を利用して簡単に取り付けることのできる圧送管取付足場用ブラケットの提供を目的とする。
【課題を解決するための手段】
【０００５】  請求項１に係る圧送管取付足場用ブラケットは、不等辺アングル（２ａ）面側２ケ所要部に足場用単管に固定されるパイプクランプ（３）を溶接にて取り付けてなることを特徴とする。【０００６】  請求項２は不等辺アングル（２ｂ）面側２ケ所要部にＵバンド取付用ボールトの貫通長穴（２ａ）２ケ所を設けてなることを特徴とする。【０００７】  請求項３は不等辺アングル（２）の内側中心部に三角形の補強用板片（２ｃ）が介装されていることを特徴とする。
【考案の効果】
【０００８】  従来は図３のような各階の鉄骨バリ等にハイカン・サポートを溶接固定するか、ボールトと止メ等の固定方法が主で、そのような方法に比べると、コストが安くなる上に取付が便利になった。【０００９】  足場用ブラケット（１）はパイプクランプ（３）を溶接によって不等辺アングル（２ａ）面側２ケ所要部に溶接固着してなるため、足場用単管にボールトで締め付けて固定するので現場での配管セットが楽になった。
【考案を実施するための最良の形態】
【００１０】  以下図面に基づいて本考案の実施の形態を説明する。
【図１】
は本考案の圧送管取付足場用ブラケット（１）を示す斜視図である。
【図２】
は足場用単管（Ｐ１）にパイプクランプ（３）で固定される、足場用ブラケット（１）がハイカン・サポート（４）で生コンクリート圧送配管（Ｐ）を固定した、固定例を示す斜視図である。
【００１１】  足場ブラケット本体（１）は、不等辺アングル（２）の内側中心部に三角形の補強部材（２ｃ）を溶接固定し、（２ｂ）面の要部にＵバンド取付用の長穴貫通穴（２ｂ）２ケ所を設け、（２ａ）面の要部２ケ所にパイプクランプ（３）が溶接固定されている。
【実施例】
【００１２】  図２は本考案の実施形態を示す斜視図である。
パイプクランプ（３）による固定は足場用単管（Ｐ１）に係合させた後、クランプ・ボールト（３ａ）のナット（３ｂ）を締め付けることで保持される。【００１３】  生コンクリート圧送管（Ｐ）のセットは建設現場の打設階の足場用単管（Ｐ１）に本考案の足場用ブラケット（１）を固定する。Ｕバンド（４ａ）を外して、生コンクリート圧送配管（Ｐ）を１本ごとに芯が通っていることを確認して、Ｕバンド（４ａ）ボールトナット（４ｂ）のナット（４ｃ）を締め付けることで固定する。
【図面の簡単な説明】
【００１４】
【図１】  本考案の圧送管取付足場用ブラケット（１）にパイプクランプ（３）が溶接固着している状態を示す斜視図である。
【図２】  圧送管取付足場用ブラケットの使用状態での斜視図である。
【図３】  従来の圧送管の固定方法で現場の鉄骨バリにハイカン・サポートを取り付けた斜視図である。
【符号の説明】
【００１５】    １      圧送管取付足場用ブラケット全体
２      不等辺山形鋼
２ａ    不等辺山形鋼のＡ辺側
２ｂ    不等辺山形鋼のＢ辺側
２ｃ    補強部材
２ｄ    Ｕボンド取付用ボールト挿通孔
３      パイプクランプ
３ａ    パイプクランプ締め付用ボールト
３ｂ    パイプクランプ締め付用ナット
４      ハイカンサポート
４ａ    Ｕバンド
４ｂ    Ｕバンド締め付用ボールト
４ｃ    Ｕバンド締め付用ナット
Ｐ      生コンクリート圧送用配管
Ｐ１    足場用単管
１２ａ  等辺山形鋼のＡ辺側
１２ｂ  等辺山形鋼のＢ辺側
Ｈ      鉄骨柱
【図１】
0003118572.tif 000003
【図２】
0003118572.tif 000004
【図３】
0003118572.tif 000005
(57)【要約】      （修正有）【課題】水を電気分解によって、効率よく水素、酸素ガスにする装置に関し、水の電気分解槽の構造をよりシンプル化して電気分解効率を高めた水燃機を提供する。【解決手段】大小２種類の大きさの違う四角形電極版１，２を作り、電極版の全部の中央に心棒５を通す穴を開け、電極版それぞれに電解液とガスの流通穴を開ける。小の電極版２は、全部それぞれ４個所の縁に絶縁物で縁取りする。この大小２種類の電極版を交互に等間隔で数十枚並べて中心の穴に金属性の心棒を通し、心棒のナット６で締め付けた電解槽９にする。  【選択図】図１
0003118556.tif 000002
【実用新案登録請求の範囲】
【請求項１】
大きさの違う大小２種類の四角形電極板を数十枚、大小たがいちがいに等間隔で重ねた電気分解槽で、小の電極板の部分が電気分解槽になり、大の電極板は電気分解槽外部に出した状態で、重ね合わされた電極板の中央部に金属の心棒が通してあり、その心棒の両端をナットで締めた形の特徴を持った水燃機。
【考案の詳細な説明】
【技術分野】
【０００１】  本考案は水を電極板の構造改革で電気分解して、水素ガス発生をより効率よくするための電気分解装置に関するものである。
【背景技術】
【０００２】  電気分解の装置は多種開発されているが、電極板の形や仕組みが効率よく出来たものはない。
【考案の開示】
【考案が解決しようとする課題】
【０００３】  水素ガス発生装置である水の電気分解槽の構造を、よりシンプル化して電気分解効率を高くする。
【課題を解決するための手段】
【０００４】  大小２種類の電極板を作り、その組み合わせで新しい電気分解槽を作る。
【考案の効果】
【０００５】  水を電気分解する時に発生する熱が今までの装置では、取り除くのが非常に難しかったが、本考案装置では、大小の電極板を使うことによって、小の電極板の部分が電解槽になり、大の電極板の一部分が電解槽の外部に出してあることで、熱を分散させ、水素酸素ガスの発生がより効率的になった。
【考案を実施するための最良の形態】
【０００６】  大小２種類の大きさの違う四角形電極板を作り、電極板の全部の中央に心棒を通す穴を開ける。電極板それぞれに電解液とガスの流通穴を開ける。小の電極板は全部それぞれ四個所の縁に絶縁物で縁どりする。この大小２種類の電極板を交互に等間隔で数十枚並べて中心の穴に金属性の心棒を通し、心棒の両端をナットで締めつけた電解槽にする。
【実施例１】
【０００７】  以下は添付図面に従って一実施例を説明する。図１は本考案装置の断面図である。１は大の電極板で、２は小の電極板であり、小の電極板には３の絶縁物で囲ってあり、４は５の心棒の絶縁物である。大小２種の電極板を等間隔で組みこんで、電極板の中央を５の心棒を通して６のナットで締めつけてある。この構造で９の部分が全部電解槽になり、１の大の電極板が電解槽の外部に出ていることになる。
【産業上の利用可能性】
【０００８】  水の電気分解が効率よく出来るようになれば、新エネルギーとして必要になる。
【図面の簡単な説明】
【０００９】
【図１】水燃機の断面図である。
【符号の説明】
【００１０】１  大電極板
２  小電極板
３  小電極板の縁を囲う絶縁物
４  心棒に対する絶縁物
５  心棒
６  ナット
７  蓋
８  ワッシャー
９  電解槽
【図１】
0003118556.tif 000003